(57)【要約】      （修正有）【課題】部品点数の削減に寄与し安価な計器装置を提供する。【解決手段】計器装置１は、回路基板１４と、回路基板１４に取り付けられるステッピングモータ１１と、ステッピングモータに回動される指針１０ｂと、を備えた計器装置であって、ステッピングモータ１１は、コイルと、コイルの回路基板１４に対向しない面を覆うシールドケース１２ｂと、を有し、コイルは、回路基板１４に対向する面が露出し、回路基板１４は、コイルに対向する箇所にグランド部が形成されている。グランド部によって、ステッピングモータ１１のコイルの回路基板１４に対向する面をシールドする部材をステッピングモータ１１が有する必要がなく、ステッピングモータ１１の部品点数削減に寄与する。【選択図】図１
2017096730.tif 000002
【特許請求の範囲】
【請求項１】
回路基板と、前記回路基板に取り付けられるステッピングモータと、前記ステッピングモータに回動される指針と、を備えた計器装置であって、
前記ステッピングモータは、コイルと、前記コイルの前記回路基板に対向しない面を覆うシールドケースと、を有し、
前記コイルは、前記回路基板に対向する面が露出し、
前記回路基板は、前記コイルに対向する箇所にグランド部が形成されている、
ことを特徴とする計器装置。
【発明の詳細な説明】
【技術分野】
【０００１】
本発明は、ステッピングモータにより指針を回動させる計器装置に関する。
【背景技術】
【０００２】
従来のステッピングモータとして、特許文献１に開示されたものがある。このステッピングモータは、例えば、車両の走行速度計などを指示する指針の回動に利用されるものである。このステッピングモータは、有底筒状の磁性体からなるカップ状ケースと、このカップ状ケースの開口を覆う磁性体のフランジによってコイルを覆う構成となっている。
【先行技術文献】
【特許文献】
【０００３】
【特許文献１】特開平９−９８５６３号公報
【発明の概要】
【発明が解決しようとする課題】
【０００４】
特許文献１に開示されたステッピングモータにおいて、部品点数の削減により安価な構成とすることが望まれている。
【０００５】
本発明は、上述した課題を鑑みてなされたものであり、部品点数の削減に寄与し安価な計器装置を提供することを目的とする。
【課題を解決するための手段】
【０００６】
本発明に係る計器装置は、
回路基板と、前記回路基板に取り付けられるステッピングモータと、前記ステッピングモータに回動される指針と、を備えた計器装置であって、
前記ステッピングモータは、コイルと、前記コイルの前記回路基板に対向しない面を覆うシールドケースと、を有し、
前記コイルは、前記回路基板に対向する面が露出し、
前記回路基板は、前記コイルに対向する箇所にグランド部が形成されている。
【発明の効果】
【０００７】
本発明によれば、部品点数の削減に寄与し安価な計器装置を提供できる。
【図面の簡単な説明】
【０００８】
【図１】本発明の一実施形態に係る計器装置の構成を示す斜視図。
【図２】同計器装置のステッピングモータを示す上面図。
【図３】同計器装置の回路基板の表面の構成を示す上面図。
【図４】同計器装置の回路基板の裏面の構成を示す下面図。
【発明を実施するための形態】
【０００９】
以下に、本発明の一実施形態に係る計器装置を添付図面に基づいて説明する。
【００１０】
計器装置１は、例えば自動車等の車両の走行速度を指示する車両速度メータ、エンジン回転数を指示するエンジン回転数メータ、燃料残量を指示する燃料残量メータ、冷却水の温度を指示する水温メータ等の種々のメータ等として構成されるものである。
【００１１】
計器装置１は、文字板１０ａと、文字板１０ａを指示する指針１０ｂと、指針１０ｂを指針軸１３ａに固定したステッピングモータ１１と、ステッピングモータ１１を駆動する回路基板１４と、を備える。
【００１２】
ステッピングモータ１１は、ケース部材１２と、ケース部材１２内に収納された駆動部材１３と、から構成されている。
【００１３】
ケース部材１２は、少なくとも上下に２分割された合成樹脂製のケース１２ａおよび金属製のシールドケース１２ｂを備えている。ケース部材１２のケース１２ａ内には、ステッピングモータ１１の駆動部材１３を構成するロータ軸を介して回転可能とされた円盤状のプラスチックマグネットが収納され、ロータ軸の回転を指針軸１３ａに伝達する減速ギアが収納されて指針軸１３ａが回転駆動されるようになっている。
【００１４】
ケース１２ａの外側には、１対のコイル１３ｂが巻かれている。コイル１３ｂの背面（指針軸１３ａが突き出る側に対し逆側）は金属製のシールドケース１２ｂで覆われており、コイル１３ｂの前面は露出している。ケース１２ａは、１対のコイル１３ｂに半田付けされた接続端子部材１３ｃを、前方（指針軸１３ａが突き出る側）に突き出すように支持している。
【００１５】
ケース１２ａには、回路基板１４に取り付けるための位置決め固定用の係止爪１２ｃが前方に突き出るように形成してある。この係止爪１２ｃを回路基板１４の係止孔１４ａに挿入し引っ掛けるようにして固定し、複数個所、例えば３箇所に設けた係止爪１２ｃによって回路基板１４の所定の位置にステッピングモータ１１が位置決めされる。
【００１６】
係止爪１２ｃが係止孔１４ａに挿入されてステッピングモータ１１が回路基板１４に位置決め固定されると、回路基板１４の接続端子孔１４ｂに接続端子部材１３ｃが挿入され、回路基板１４の指針軸孔１４ｃに指針軸１３ａが挿入される。また、回路基板１４の接続端子孔１４ｂは、接続端子部材１３ｃが挿入された状態で半田付けされて、接続端子部材１３ｃと導通する。
【００１７】
回路基板１４の表面（指針軸１３ａが突き出る側）には、接続端子孔１４ｂと導通する回路パターン１４ｄが形成されており、図示しないマイクロコントローラなどの制御手段がこの回路パターン１４ｄに接続されている。制御手段は、この回路パターン１４ｄに、ステッピングモータ１１をマイクロステップ駆動させる制御信号を出力し、指針１０ｂを所定の角度に回転させる。
【００１８】
回路基板１４の裏面には、ステッピングモータ１１が取り付けられたときにコイル１３ｂが対向する位置に回路基板１４のグランドと接続して同電位にされたグランド部１４ｅが形成されている。このグランド部１４ｅは、短絡しない程度に接続端子孔１４ｂと所定距離離間して包含するように形成されるとともにステッピングモータ１１のコイル１３ｂを覆うように形成されている。コイル１３ｂは、グランド部１４ｅとシールドケース１２ｂとによってシールドされる。このグランド部１４ｅによって、ステッピングモータ１１のコイル１３ｂの前面をシールドする部材をステッピングモータ１１が有する必要がなく、ステッピングモータ１１の部品点数を削減し安価にできる。また、ステッピングモータ１１が回路基板１４に取り付けられたときに、コイル１３ｂとグランド部１４ｅとは近接するため、コイル１３ｂが励磁されたときに発した熱がグランド部１４ｅに放射されてコイル１３ｂを冷却する効果が期待できる。
【００１９】
上述したように、本発明の一実施形態である計器装置１は、回路基板１４と、回路基板１４に取り付けられるステッピングモータ１１と、ステッピングモータに回動される指針１０ｂと、を備えた計器装置であって、ステッピングモータ１１は、コイル１３ｂと、コイル１３ｂの回路基板１４に対向しない面を覆うシールドケース１２ｂと、を有し、コイル１３ｂは、回路基板１４に対向する面が露出し、回路基板１４は、コイル１３ｂに対向する箇所にグランド部１４ｅが形成されている。
【００２０】
このように構成することで、コイル１３ｂが励磁されたときに発せられる電磁パルスは、シールドケース１２ｂとグランド部１４ｅによって前面および背面からシールドされる。グランド部１４ｅによって、ステッピングモータ１１がコイル１３ｂの回路基板１４に対向する面をシールドする部材を廃することができるので、部品点数を削減し安価に製造できる。
【００２１】
本発明は上記の実施形態（図面の内容を含む）によって限定されるものではない。本発明の主旨に従う範囲で、上記の実施形態に変更（構成要素の削除も含む）を加えることができる。
【００２２】
例えば、グランド部１４ｅは、ステッピングモータ１１が回路基板１４に取り付けられた状態でシールドケース１２ｂと当接し、シールドケース１２ｂを回路基板１４のグランドと同電位としてもよい。
【００２３】
また、ステッピングモータ１１を回路基板１４の前面（文字板１０ａと指針１０ｂが配置される側の面）に配設する場合においては、コイル１３ｂの回路基板１４と対向しない面（文字板１０ａと指針１０ｂが配置される側の面）をシールドケース１２ｂで覆い、回路基板１４の前面側のコイル１３ｂと対向する箇所にグランド部１４ｅを形成する構成とすることで同様の効果が得られる。
【符号の説明】
【００２４】
１    ：計器装置
１０ａ：文字板
１０ｂ：指針
１１  ：ステッピングモータ
１２  ：ケース部材
１２ａ：ケース
１２ｂ：シールドケース
１２ｃ：係止爪
１３  ：駆動部材
１３ａ：指針軸
１３ｂ：コイル
１３ｃ：接続端子部材
１４  ：回路基板
１４ａ：係止孔
１４ｂ：接続端子孔
１４ｃ：指針軸孔
１４ｄ：回路パターン
１４ｅ：グランド部
【図１】
2017096730.tif 000003
【図２】
2017096730.tif 000004
【図３】
2017096730.tif 000005
【図４】
2017096730.tif 000006